(57)【要約】  セルラハンドセット等の無線通信デバイス（１０）は、Ｗｅｂフィード等を介した電子コンテンツの取得を、当該デバイス（１０）の１以上の能力パラメータに従って調整するように構成されている。一実施形態において、無線通信デバイス（１０）は、無線通信デバイス（１０）内でデバイス能力情報を維持することと、デバイス能力情報に見合ったコンテンツ特性を有する電子コンテンツを特定するために、当該無線通信デバイス（１０）が受信した１以上の電子フィードをフィルタリングすることとに基づいて、電子コンテンツの取得を調整するように、例えば、適切なコンピュータプログラム命令（５０）を有すること等によって構成されている。
2009514346.tif 000002
【特許請求の範囲】
【請求項１】
無線通信デバイス（１０）による電子コンテンツの取得を調整する方法であって、
前記無線通信デバイス（１０）においてデバイス能力情報を維持する工程と、
前記デバイス能力情報に見合ったコンテンツ特性を有する電子コンテンツを特定するために、前記無線通信デバイス（１０）が受信した１以上の電子フィードをフィルタリングする工程と、
を有することを特徴とする方法。
【請求項２】
前記デバイス能力情報を維持する前記工程には、
前記無線通信デバイス（１０）に利用可能な変化する接続データレートに応じて動的なデバイス能力情報を維持する工程が含まれる
ことを特徴とする請求項１に記載の方法。
【請求項３】
前記デバイス能力情報を維持する前記工程には、
前記無線通信デバイス（１０）に利用可能な変化する無線アクセスネットワークのタイプに応じて動的なデバイス能力情報を維持する工程が含まれる
ことを特徴とする請求項１に記載の方法。
【請求項４】
前記デバイス能力情報を維持する前記工程には、
前記無線通信デバイス（１０）に利用可能な変化するメモリの能力に応じて動的なデバイス能力情報を維持する工程が含まれる
ことを特徴とする請求項１に記載の方法。
【請求項５】
前記デバイス能力情報を維持する前記工程には、
前記無線通信デバイス（１０）に利用可能な変化するユーザインターフェイスの能力に応じて動的なデバイス能力情報を維持する工程が含まれる
ことを特徴とする請求項１に記載の方法。
【請求項６】
前記デバイス能力情報を維持する前記工程には、
デバイスのディスプレイの特性と、デバイスのユーザインターフェイスの特性と、デバイスのオーディオの特性と、デバイスのメモリの特性と、コンテンツタイプの互換性の特性と、デバイスのプロセッサの特性と、のうち少なくとも１つに関する静的なデバイス能力情報を前記無線通信デバイスのメモリ（３２）で維持する工程が含まれる
ことを特徴とする請求項１に記載の方法。
【請求項７】
前記デバイス能力情報を維持する前記工程には、
前記無線通信デバイス（１０）に利用可能な変化する接続データレートと、
前記無線通信デバイス（１０）に利用可能な変化する無線アクセスネットワークのタイプと、
前記無線通信デバイス（１０）に利用可能な変化するメモリの能力と、
前記無線通信デバイス（１０）に利用可能な変化するユーザインターフェイスの能力と、
のうち少なくとも１つに応じて動的なデバイス能力情報を維持する工程がさらに含まれる
ことを特徴とする請求項６に記載の方法。
【請求項８】
前記１以上の電子フィードをフィルタリングする前記工程には、
利用可能な電子コンテンツと対応するコンテンツ特性とを特定する、前記１以上の電子フィードから若しくは該１以上の電子フィードのための、コンテンツ情報を受信する工程と、
相応のコンテンツ特性を有する電子コンテンツを特定するための前記デバイス能力情報について前記コンテンツ特性を評価する工程と、
が含まれることを特徴とする請求項１に記載の方法。
【請求項９】
前記デバイス能力情報について前記コンテンツ特性を評価する前記工程には、
前記無線通信デバイス（１０）に利用可能な接続データレートに見合ったファイルサイズを有する電子コンテンツを特定する工程と、
前記無線通信デバイス（１０）のストレージ能力に見合ったファイルサイズを有する電子コンテンツを特定する工程と、
前記無線通信デバイス（１０）と互換性のあるコンテンツのエンコーディングまたはファイルタイプを有する電子コンテンツを特定する工程と、
のうち少なくとも１つが含まれることを特徴とする請求項８に記載の方法。
【請求項１０】
前記無線通信デバイス（１０）による処理のための前記特定された電子コンテンツを選択的に取得する工程をさらに有することを特徴とする、請求項１に記載の方法。
【請求項１１】
前記特定された電子コンテンツを選択的に取得する前記工程には、
前記無線通信デバイス（１０）が有効に購読している任意の電子フィードに関連付けられた、特定されている電子コンテンツを自動的に取得する工程が含まれる
ことを特徴とする請求項１０に記載の方法。
【請求項１２】
前記無線通信デバイス（１０）による処理のための前記特定された電子コンテンツを選択的に取得する前記工程には、
そのような取得を望むことを示すユーザの入力に応答して、特定されている電子コンテンツを取得する工程が含まれる
ことを特徴とする請求項１０に記載の方法。
【請求項１３】
１以上の処理回路（３０）を備える無線通信デバイス（１０）であって、
デバイス能力情報を維持し、
前記デバイス能力情報に見合ったコンテンツ特性を有する電子コンテンツを特定するために、当該無線通信デバイスが受信した１以上の電子フィードをフィルタリングする
ように構成されることを特徴とする無線通信デバイス（１０）。
【請求項１４】
前記１以上の処理回路は、
前記無線通信デバイス（１０）に利用可能な変化する接続データレートに対応する動的なデバイス能力情報として、前記デバイス能力情報の少なくとも一部を維持する
ように構成されることを特徴とする請求項１３に記載の無線通信デバイス（１０）。
【請求項１５】
前記１以上の処理回路は、
前記無線通信デバイス（１０）に利用可能な変化する無線アクセスネットワークのタイプに対応する動的なデバイス能力情報として、前記デバイス能力情報の少なくとも一部を維持する
ように構成されることを特徴とする請求項１３に記載の無線通信デバイス（１０）。
【請求項１６】
前記１以上の処理回路は、
前記無線通信デバイス（１０）に利用可能な変化するメモリの能力に対応する動的なデバイス能力情報として、前記デバイス能力情報の少なくとも一部を維持する
ように構成されることを特徴とする請求項１３に記載の無線通信デバイス（１０）。
【請求項１７】
前記１以上の処理回路は、
前記無線通信デバイス（１０）に利用可能な変化するユーザインターフェイスの能力に対応する動的なデバイス能力情報として、前記デバイス能力情報の少なくとも一部を維持する
ように構成されることを特徴とする請求項１３に記載の無線通信デバイス（１０）。
【請求項１８】
前記１以上の処理回路は、
デバイスのディスプレイの特性と、デバイスのユーザインターフェイスの特性と、デバイスのオーディオの特性と、デバイスのメモリの特性と、コンテンツタイプの互換性の特性と、デバイスのプロセッサの特性と、のうち少なくとも１つに関する静的なデバイス能力情報として、前記デバイス能力情報の少なくとも一部を前記無線通信デバイス（１０）のメモリ（３２）に維持する
ように構成されることを特徴とする請求項１３に記載の無線通信デバイス（１０）。
【請求項１９】
前記１以上の処理回路は、
前記無線通信デバイス（１０）に利用可能な変化する接続データレートと、
前記無線通信デバイス（１０）に利用可能な変化する無線アクセスネットワークのタイプと、
前記無線通信デバイス（１０）に利用可能な変化するメモリの能力と、
前記無線通信デバイス（１０）に利用可能な変化するユーザインターフェイスの能力と、
のうち少なくとも１つに応じて動的なデバイス能力情報をさらに維持する
ように構成されることを特徴とする請求項１８に記載の無線通信デバイス（１０）。
【請求項２０】
前記１以上の処理回路（３０）は、
利用可能な電子コンテンツと対応するコンテンツ特性とを特定する、１以上の電子フィードから、もしくは該１以上の電子フィードのための、コンテンツ情報を受信し、
相応のコンテンツ特性を有する電子コンテンツを特定するために、前記デバイス能力情報について前記コンテンツ特性を評価する
ことにより前記１以上の電子フィードをフィルタリングするように構成される
ことを特徴とする請求項１３に記載の無線通信デバイス（１０）。
【請求項２１】
前記１以上の処理回路（３０）は、
前記無線通信デバイス（１０）に利用可能な接続データレートに見合ったファイルサイズを有する電子コンテンツと、
前記無線通信デバイス（１０）のストレージ能力に見合ったファイルサイズを有する電子コンテンツと、
前記無線通信デバイス（１０）と互換性のあるコンテンツのエンコーディングまたはファイルのタイプを有する電子コンテンツと、
の少なくとも１つを特定することによって、前記デバイス能力情報について前記コンテンツ特性を評価する
ように構成されることを特徴とする請求項２０に記載の無線通信デバイス（１０）。
【請求項２２】
前記１以上の処理回路（３０）は、
無線通信デバイス（１０）による処理のための前記特定された電子コンテンツをさらに選択的に取得する
ように構成されることを特徴とする請求項１３に記載の無線通信デバイス（１０）。
【請求項２３】
前記１以上の処理回路（３０）は、
前記無線通信デバイス（１０）が有効に購読している任意の電子フィードに関連付けられた、特定されている電子コンテンツを自動的に取得することにより、前記特定された電子コンテンツを選択的に取得する
ように構成されることを特徴とする請求項２２に記載の無線通信デバイス（１０）。
【請求項２４】
前記１以上の処理回路（３０）は、
そのような取得を望むことを示すユーザの入力に応答して、特定されている電子コンテンツを取得することによって、前記無線通信デバイスによる処理のための前記特定されている電子コンテンツを選択的に取得する
ように構成されることを特徴とする請求項２２に記載の無線通信デバイス（１０）。
【請求項２５】
無線通信デバイス（１０）による電子コンテンツの取得を調整するように構成されたコンピュータプログラム（５０）を格納したコンピュータ可読媒体（３２）であって、
前記コンピュータプログラム（５０）は、
前記無線通信デバイス（１０）においてデバイス能力情報を維持するためのプログラム命令（５２）と、
前記デバイス能力情報に見合ったコンテンツ特性を有する電子コンテンツを特定するために、前記無線通信デバイス（１０）が受信した１以上の電子フィードをフィルタリングするためのプログラム命令（５４）と、
を備えることを特徴とするコンピュータ可読媒体（３２）。
【請求項２６】
前記コンピュータプログラム（５０）は、
電子コンテンツを取得し、
前記無線通信デバイス（１０）のユーザインターフェイス（３４）を介して前記無線通信デバイス（１０）のユーザへ対応する出力情報を提供する
ように構成された電子コンテンツ取得プログラム（５６）を備える
ことを特徴とする請求項２５に記載のコンピュータ可読媒体（３２）。
【発明の詳細な説明】
【技術分野】
【０００１】
本発明は携帯ハンドセット等の無線通信デバイスに関し、特に、そのようなデバイスの能力に合わせて、Ｗｅｂフィードからのコンテンツ等の電子コンテンツの取得を調整することに関する。
【背景技術】
【０００２】
Ｗｅｂフィードは電子コンテンツを提供するための一般的な手段となってきている。一例として、Ｗｅｂフィードの構築は、拡張可能マークアップ言語（ＸＭＬ：eXtensible Markup Language）で記述されたドキュメントを、ネットワークを通じてアクセス可能な、Ｗｅｂサーバー等のコンピュータに配置することで達成される。さらに詳しくは、ＸＭＬドキュメントは、埋め込まれた電子コンテンツ、もしくはそのようなコンテンツへのリンクを有する、アイテムリストを持っている。フィードの購読者は、新たなコンテンツが利用可能になった際にアクセス出来るように、アイテムリストのファイルの変更を見たり、もしくは監視したりする。
【０００３】
Ｗｅｂフィードを購読するための様々な手法が存在する。一例として、パーソナルコンピュータ（ＰＣ）はアグリゲータ・ソフトウェア（aggregator software, 集約ソフトウェア）によって構成してもよい。アグリゲータは選択されたＷｅｂフィードを監視して、更新されたコンテンツのリストをユーザに提供する。また、アグリゲータは、選択されたフィードから、更新されたコンテンツを自動的に取得するように構成することができる。一般的に、特定のタイプのフィードを対象とするアグリゲータには、特定の名前が付いている。例えば、ニュースフィード（例えばＲＳＳによるニュースフィード）を対象とするアグリゲータはニュースリーダーと呼ばれることが多いが、「ポッドキャスト」フィードを対象とするアグリゲータは「ポッドキャッチャ」と呼ばれることが多い。
【０００４】
ポッドキャストフィードは一般的に、例えばＭＰ３ファイルのようなオーディオファイルを含むか、あるいは、オーディオファイルへのリンクを有するような、アイテムリストを有しているが、それからイメージやビデオ等の他の種類のコンテンツが排除されるわけではない。ポッドキャストはおそらく、続きもののオーディオコンテンツをＷｅｂへ公開することにおいて、プロフェッショナルおよびアマチュアの双方にとって、非常に有用であろう。例えば、有名なラジオの（もしくはオンラインの）トークや、特に興味深い番組は、新たなコンテンツがポストされたときに更新されるＷｅｂフィードを介して、ダウンロード可能なオーディオファイルやビデオファイルとして利用可能となることが多い。いわゆる「ブロガー」も、興味を持ったユーザが対応するＷｅｂフィードを介してダウンロードしてもよいようなコンテンツを頻繁にポストする。
【発明の開示】
【発明が解決しようとする課題】
【０００５】
ポッドキャストや他のコンテンツを取得するための動作は、モバイル環境においてはより困難なものとなる。例えば、（モバイルの）取得デバイスの性質や現在の動作状況によって、その能力が大きく制限されたり、または相対的に拡張されたりすることがありうる。また、スクリーンのサイズや解像度、色の深み、オーディオの質、オーディオ／ビデオのコーデックのサポート、処理能力（例えば、毎秒あたりのフレーム数）、サポートできるファイルの種類とサイズ、最大通信速度などについて、いくつかの制限が内在しているかもしれない。また、取得デバイスの利用可能なメモリ容量や、無線アクセスネットワークの種類の変化と無線環境の変化との少なくともいずれかに応じて、達成可能なデータレートが可変であること等のように、他の制限が事実上一時的であるかもしれない。
【課題を解決するための手段】
【０００６】
携帯ハンドセット等の無線通信デバイスは、Ｗｅｂフィード等を介した電子コンテンツの取得を、そのデバイスの１以上の能力パラメータに従って調整するように構成される。一実施形態では、無線通信デバイスは、例えば、適切なコンピュータプログラム命令を有することによって、無線通信デバイスにおけるデバイス能力情報を維持し、そのデバイス能力情報に見合ったコンテンツ特性を有する電子コンテンツを特定するために、無線通信デバイスが受信した１以上の電子フィードをフィルタリングすることによって、電子コンテンツの取得を調整するように構成される。
【０００７】
少なくとも１つの実施形態において、デバイス能力情報の少なくとも一部分は動的である。したがって、デバイス能力情報を維持することには、例えば、変化するメモリ能力と、変化するユーザインターフェイスの能力と、無線通信デバイスにおいて利用可能な変化する接続データレートと、無線通信デバイスにおいて利用可能な変化する無線アクセスネットワークのタイプと、の少なくともいずれかに応じて、動的なデバイス能力情報を維持することが含まれてもよい。
【０００８】
そのような実施形態、もしくは他の実施形態においては、デバイス能力情報の少なくとも一部分は静的である。したがって、デバイス能力情報を維持することには、例えば、デバイスのディスプレイの特性と、デバイスのユーザインターフェイスの特性と、デバイスのオーディオの特性と、デバイスのメモリの特性と、コンテンツタイプの互換性の特性と、およびデバイスのプロセッサの特性と、少なくとも１つに影響を与える静的なデバイス能力情報を無線通信デバイスのメモリに維持することが含まれてもよい。
【０００９】
そのようにして、例えば、１以上の電子フィードからもしくは１以上の電子フィードのための、利用可能な電子コンテンツと対応するコンテンツ特性とを特定するコンテンツ情報を受信し、また同等のコンテンツ特性を有する電子コンテンツを特定するためのデバイス能力情報についてコンテンツ特性を評価することにより、無線通信デバイスは、当該無線通信デバイスが受信した電子フィードをフィルタリングするように構成されてもよい。
【００１０】
適切に構成された無線通信デバイスの制限されない例において、無線通信デバイスは、無線通信デバイスによる電子コンテンツの取得を調整するように構成されたコンピュータプログラムを記憶したコンピュータ可読媒体を含む。このコンピュータプログラムは、無線通信デバイスにおけるデバイス能力情報を維持するためのプログラム命令と、デバイス能力情報に見合ったコンテンツ特性を有する電子コンテンツを特定するための無線通信デバイスが受信した１以上の電子フィードをフィルタリングするためのプログラム命令と、を含む。無線通信デバイスに含まれる１以上の処理回路はそのコンピュータプログラムの実行に適応していてもよい。
【００１１】
もちろん本発明は上述の特徴や利点に限ったものではない。実際に、当業者は、以降の詳細な説明を閲読し、添付図面を参照することによって、更なる特徴や利点を確認できるであろう。
【発明を実施するための最良の形態】
【００１２】
図１は、サポーティング（支援）無線通信ネットワーク１４を介して直接的もしくは間接的に、１以上の（電子）コンテンツソースに通信的に接続された無線通信デバイス１０を示している。例えば、この図では、サポーティングネットワーク１４は、コンテンツソース１２へのアクセスを提供する、インターネット等の、パブリックおよび／またはプライベートの１以上のデータネットワーク１６に接続されている。しかしながら、コンテンツソース１２は、サポーティングネットワーク１４の中で、もしくはサポーティングネットワーク１４を介して、直接的に利用可能であってもよい。
【００１３】
どのような場合でも、デバイス１０は、デバイス能力情報を維持し、また、デバイス能力情報に見合ったコンテンツ特性を有する電子コンテンツを特定するために、デバイス１０が受信した１以上の電子フィードをフィルタリングするように構成される。一例として、コンテンツソース１２から利用可能な電子フィードは、ポッドキャストおよび／または他のタイプのＷｅｂフィードを含んでもよく、またデバイス１０は、その能力を補完するそのようなフィードを介して利用可能な電子コンテンツを特定してもよい。したがって、デバイス１０は、デバイス１０のディスプレイの能力、メモリ／プロセッサの能力、エンコーディング／ファイルのタイプの能力、データ接続レートの能力などを補完する、ビデオもしくはマルチメディアのファイルを取得してもよい。
【００１４】
図１の詳細に戻って、示された実施形態において、デバイス１０は、受信／送信アンテナ２０と、スイッチ／デュプレクサ２２と、受信回路２４と、送信回路２６と、ベースバンド処理／システム制御回路２８と、メモリ回路３２と、ユーザインターフェイス３４と、を備え、ここで、ベースバンド処理／システム制御回路２８は、ここに教示されているように調整されたコンテンツ取得を支援するように構成された１以上の処理回路３０を含んでいる。また、少なくとも１つの実施形態において、ユーザインターフェイス３４は、ディスプレイ３６、キーパッド３８、マイクロフォン４０、スピーカー４２（もしくは他のオーディオ出力デバイス、もしくはオーディオ出力システム）を含む。
【００１５】
制限されない例として、デバイス１０は、ＧＳＭ／ＧＰＲＳまたは広帯域ＣＤＭＡ（ＷＣＤＭＡ：Wideband CDMA）のハンドセット等の携帯ハンドセットを備え、同様に、サポーティング通信ネットワーク１４はセルラネットワークを備える。ここで、このセルラネットワークは、デバイス１０との無線通信およびデータネットワーク１６とのバックエンド通信を支援するために、必要に応じて無線アクセスおよびコアネットワーク・エンティティを含む。
【００１６】
当然、デバイス１０は、無線のポケットベルや、ＰＤＡや、パームトップ／ラップトップ型のコンピュータや他のタイプの携帯通信デバイスとして構成することができることは理解されるべきであろう。目的の使用法や、所望の特徴は、デバイス１０の特定の実装を決定づけるであろう。そして、サポーティング通信ネットワーク１４の詳細は、デバイス１０の特定の実装に従って変化するであろうことを理解すべきであろう。例えば、必要や要求に応じて、ユーザインターフェイスの示された１以上の要素がデバイス１０から省略されてもよいし、また、例えば触覚装置および／または生体測定装置等の他のユーザインターフェイスの要素が、デバイス１０に代替もしくは付加されてもよい。さらなる例においては、サポーティング通信ネットワーク１４は、ＷｉＦｉまたはＢｌｕｅｔｏｏｔｈ等の短距離無線ネットワークを備えてもよいし、ＷｉＭａｘ等の広範囲の無線ネットワークを備えてもよいし、また、デバイス１０の通信回路（受信部２４と送信部２６）は、与えられた実装において求められている、特定のエア・インタフェースを支援するために、必要に応じて構成されるであろう。
【００１７】
とにかく、デバイス１０の１以上の処理回路３０は、電子フィードを受信し、デバイス能力情報によってそれらのフィードに関連付けられた電子コンテンツの取得を調整するように構成される。そのような処理回路３０は、ソフトウェア（またはファームウェア）において実装されているコンピュータプログラムの命令に従って構成される、１以上の、マイクロプロセッサと、デジタルシグナルプロセッサと、アプリケーション専用集積回路と、フィールド・プログラマブル・ゲートアレイと、他のタイプのデジタル処理回路と、の少なくともいずれかを備えてもよい。そのような回路は、ベースバンド処理／システム制御回路２８の他の信号および制御機能と共同で使用されてもよい。
【００１８】
図２は処理回路３０の一実施形態を示しており、ここでは、処理回路３０は、動的もしくは静的となることが可能なデバイス能力情報に加えて、メモリ回路３２に格納されているコンテンツ取得プログラム５０を介して、ここで教示しているように、電子コンテンツの取得を調整することを支援するように構成されている。図３は、デバイス能力情報（ＤＣＩ：Device Capability Information）機能５２と、評価機能５４と、取得機能５６とを実装するプログラム命令を備える、コンテンツ取得プログラム５０の１つの機能的な実施形態を示している。
【００１９】
ここに示しているプログラムの機能は、電子コンテンツ取得の他の側面を実行してもよく、また、コンテンツ取得プログラム５０は、デバイス１０の実行に適したフル機能のアプリケーションを備えてもよいことを理解すべきである。例えば、コンテンツ取得プログラム５０は、Ｗｅｂもしくは他のデータソースからの電子コンテンツの取得に適した、ポッドキャッチング・アプリケーションもしくは他のタイプの閲覧および／または取得プログラムであってもよい。それに加えて、もしくは、それに代えて、コンテンツ取得プログラム５０は、ユーザインターフェイス３４を、制御、あるいはそうでなければ通信することによって、取得された電子コンテンツに対応するアウトプットの情報を提供するように構成されてもよい。
【００２０】
コンテンツ取得プログラム５０が提供してもよい、もしくは支援してもよいあらゆる追加的な特徴には関わらないで、図４は、調整されたコンテンツ取得を支援するプログラムフローのロジックの一実施形態を示している。処理はデバイス能力情報を維持すること（ステップ１００）により「開始する」。
【００２１】
静的な（変化しない）デバイス能力情報は、デバイス１０のハードウェアおよび／またはソフトウェアの構成に関係してもよく、そのような情報を維持することには、単純に、例えば、メモリ回路３２にそのような情報を格納すること、さもなければ保持することが含まれる。制限されない例として、静的なデバイス能力情報をメモリ３２に保持することには、デバイスのディスプレイの特性と、デバイスのユーザインターフェイスの特性と、デバイスのオーディオの特性と、デバイスのメモリの特性と、コンテンツタイプの互換性の特性と、デバイスの処理特性と、のうちの少なくとも１つに関係のある情報を格納することが含まれてもよい。ビデオスクリーンのタイプ、解像度、および色の深みは、メモリの能力やコーデックの能力などに関する、関心のある一般的な能力パラメータを示す。
【００２２】
動的なデバイス能力情報は変化するものであり、そのような情報を維持することには、関係のある状況を監視することと、それに従ってデバイス能力情報を更新することが含まれる。例えば、製造過程の一部としてデバイス１０に格納されてもよい静的なデバイス能力情報とは異なり、動的なデバイス能力情報を維持することは、他の動作のバックグラウンドで、または並列的に動作してもよい、進行中の処理のステップを表す。
【００２３】
一例として、動的なデバイス能力情報は、デバイス１０で利用可能な変化する接続データレートと、デバイス１０で利用可能な変化する無線通信アクセスネットワークのタイプと、の少なくともいずれかに応じて維持されてもよい。そのような利用可能性の変化は、例えば、デバイス１０がある動作モードから他の動作モードに変化したときや、あるいは、デバイス１０がある場所から他の場所に移動したときに生じてもよい。一実施形態において、デバイス１０は、異なるモードで利用可能な異なる（最大の）データレートを有する、ＵＭＴＳ動作とＧＰＲＳ動作とが可能なデュアルモードのセルラハンドセットを備える。
【００２４】
他の例として、動的なデバイス能力情報は、デバイス１０の変化するメモリの能力と、デバイス１０の変化するユーザインターフェイスと、の少なくともいずれかに応じて維持されてもよい。例えば、メモリの能力は、デバイス１０のメモリ３２に情報が付加されたり、情報が取り除かれたりしたときに変化してもよいし、および／またはデバイス１０のメモリストレージ能力が更新されたことによって変化してもよい。例えばユーザインターフェイスの能力は、デバイス１０の処理能力を変化させるために、デバイス１０にユーザインターフェイスの要素を付加したり、取り除いたりしたときに変化してもよい。デバイス１０はユーザインターフェイス要素の付加や除去を検出し、それに従ってデバイス１０の能力情報を更新することができる。制限のない実例において、ＱＶＧＡディスプレイとメディアプレーヤーの付属品との少なくともいずれかは、デバイス１０のメディア処理能力を向上させるために一時的にデバイス１０に取り付けることができる。
【００２５】
処理フローに戻り、また、デバイス１０が１以上の電子フィードを受信したと仮定する。このとき、処理は、適切な電子コンテンツを特定するためのデバイス能力情報に基づいたそのようなフィードを介して利用可能な電子コンテンツの「フィルタリング」を継続する（ステップ１０２）。そのようなフィルタリングには、利用可能なコンテンツと対応するコンテンツ特性とを特定するコンテンツ情報を、１以上の電子フィードから、もしくは１以上の電子フィードのために受信することと、デバイス能力情報に関してコンテンツ特性を評価して、それに見合ったコンテンツ特性を有する電子コンテンツを特定することが含まれてもよい。すなわち、電子フィードは、そのフィードから利用可能な電子コンテンツを特定するアイテムリストを含む、ＸＭＬまたは他のデータファイルを含んでもよい。そのようなアイテムリストは、例えば、リストされたアイテムに係るコンテンツ特性を特定する、メタタグの形式のコンテンツ情報を含んでもよい。コンテンツ特性は、対象となる電子コンテンツの特定のタイプに適切なように、ファイルのサイズ、メディアのタイプ、ビデオの解像度などを含むことができる。
【００２６】
そのように、少なくとも１つの実施形態において、デバイス能力情報についてコンテンツ特性を評価することには、無線通信デバイスで利用可能な接続データレートに見合ったファイルのサイズを有する電子コンテンツを特定することと、無線通信デバイスのストレージ能力に見合ったファイルサイズを有する電子コンテンツを特定することと、無線通信デバイスと互換性のあるコンテンツのエンコーディングまたはファイルのタイプを有する電子コンテンツを特定することと、の少なくとも１つが含まれる。もちろん、他の特性も、ここで特定したものに加えて、もしくはその代りに評価してもよい。
【００２７】
そのようなフィルタリングとともに、処理は特定されたコンテンツの選択的な取得（ステップ１０４）に続いてもよい。例えば、特定されたコンテンツの選択的な取得には、デバイス１０のユーザについて、デバイス１０が有効に購読している任意の電子フィードに関連づけられている特定された電子コンテンツを自動的に取得することが含まれてもよい。それに加えて、もしくはそれに代えて、デバイス１０による処理のために特定された電子コンテンツを選択的に取得することには、そのような取得が望まれていることを示すユーザによるインプットに応答して、特定された電子コンテンツを取得することが含まれてもよい。
【００２８】
上記の実施形態を踏まえ、ここに教示した調整されたコンテンツ取得によれば、その能力に見合ったコンテンツ特性を有する電子コンテンツを取得するように構成された、例えばデバイス１０のような、無線通信デバイスが提供されることを理解すべきである。言い換えれば、デバイス１０は、不適切なコンテンツを取得しないように電子フィードをフィルタリングするが、これは、コンテンツソース１２、もしくは、調整されたコンテンツ取得を支援するように特別に構成された、インタービーニング（介在）／サポーティング・ネットワークのエンティティに依存することなく実行される。
【００２９】
もちろん、本発明は、上述の説明や添付図面に限られないことも理解すべきである。実際には、本発明は、添付の特許請求の範囲とその法的な均等物にのみ限定される。
【図面の簡単な説明】
【００３０】
【図１】デバイス能力情報に従ってサポーティング無線通信ネットワークを介した電子コンテンツの取得を調整するように構成された無線通信デバイスのブロック図である。
【図２】調整されたコンテンツ取得のために構成されてもよい、１以上の処理回路および関連付けられたメモリのブロック図である。
【図３】調整されたコンテンツ取得の一実施形態のためのコンピュータプログラムの機能構成のブロック図である。
【図４】調整されたコンテンツ取得を実行するための処理ロジックの一実施形態に係る処理フロー図である。
【図１】
2009514346.tif 000003
【図２】
2009514346.tif 000004
【図３】
2009514346.tif 000005
【図４】
2009514346.tif 000006
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
無線通信デバイス（１０）による電子コンテンツの取得を調整する方法であって、
前記無線通信デバイス（１０）においてデバイス能力情報を維持する工程と、
利用可能な電子コンテンツと対応するコンテンツ特性とを特定する、前記無線通信デバイスが受信した、１以上の電子フィードから若しくは該１以上の電子フィードのための、コンテンツ情報を受信し、並びに、前記デバイス能力情報に見合ったコンテンツ特性を有する電子コンテンツを特定するための前記デバイス能力情報について前記コンテンツ特性を評価する工程と、
を有することを特徴とする方法。
【請求項２】
前記デバイス能力情報を維持する前記工程には、
前記無線通信デバイス（１０）に利用可能な変化する接続データレートに応じて動的なデバイス能力情報を維持する工程が含まれる
ことを特徴とする請求項１に記載の方法。
【請求項３】
前記デバイス能力情報を維持する前記工程には、
前記無線通信デバイス（１０）に利用可能な変化する無線アクセスネットワークのタイプに応じて動的なデバイス能力情報を維持する工程が含まれる
ことを特徴とする請求項１に記載の方法。
【請求項４】
前記デバイス能力情報を維持する前記工程には、
前記無線通信デバイス（１０）に利用可能な変化するメモリの能力に応じて動的なデバイス能力情報を維持する工程が含まれる
ことを特徴とする請求項１に記載の方法。
【請求項５】
前記デバイス能力情報を維持する前記工程には、
前記無線通信デバイス（１０）に利用可能な変化するユーザインターフェイスの能力に応じて動的なデバイス能力情報を維持する工程が含まれる
ことを特徴とする請求項１に記載の方法。
【請求項６】
前記デバイス能力情報を維持する前記工程には、
デバイスのディスプレイの特性と、デバイスのユーザインターフェイスの特性と、デバイスのオーディオの特性と、デバイスのメモリの特性と、コンテンツタイプの互換性の特性と、デバイスのプロセッサの特性と、のうち少なくとも１つに関する静的なデバイス能力情報を前記無線通信デバイスのメモリ（３２）で維持する工程が含まれる
ことを特徴とする請求項１に記載の方法。
【請求項７】
前記デバイス能力情報を維持する前記工程には、
前記無線通信デバイス（１０）に利用可能な変化する接続データレートと、
前記無線通信デバイス（１０）に利用可能な変化する無線アクセスネットワークのタイプと、
前記無線通信デバイス（１０）に利用可能な変化するメモリの能力と、
前記無線通信デバイス（１０）に利用可能な変化するユーザインターフェイスの能力と、
のうち少なくとも１つに応じて動的なデバイス能力情報を維持する工程がさらに含まれる
ことを特徴とする請求項６に記載の方法。
【請求項８】
前記デバイス能力情報について前記コンテンツ特性を評価する前記工程には、
前記無線通信デバイス（１０）に利用可能な接続データレートに見合ったファイルサイズを有する電子コンテンツを特定する工程と、
前記無線通信デバイス（１０）のストレージ能力に見合ったファイルサイズを有する電子コンテンツを特定する工程と、
前記無線通信デバイス（１０）と互換性のあるコンテンツのエンコーディングまたはファイルタイプを有する電子コンテンツを特定する工程と、
のうち少なくとも１つが含まれることを特徴とする請求項１に記載の方法。
【請求項９】
前記無線通信デバイス（１０）による処理のための前記特定された電子コンテンツを選択的に取得する工程をさらに有することを特徴とする、請求項１に記載の方法。
【請求項１０】
前記特定された電子コンテンツを選択的に取得する前記工程には、
前記無線通信デバイス（１０）が有効に購読している任意の電子フィードに関連付けられた、特定されている電子コンテンツを自動的に取得する工程が含まれる
ことを特徴とする請求項９に記載の方法。
【請求項１１】
前記無線通信デバイス（１０）による処理のための前記特定された電子コンテンツを選択的に取得する前記工程には、
そのような取得を望むことを示すユーザの入力に応答して、特定されている電子コンテンツを取得する工程が含まれる
ことを特徴とする請求項９に記載の方法。
【請求項１２】
１以上の処理回路（３０）を備える無線通信デバイス（１０）であって、
デバイス能力情報を維持し、
利用可能な電子コンテンツと対応するコンテンツ特性とを特定する、１以上の電子フィードから、もしくは該１以上の電子フィードのための、コンテンツ情報を受信し、並びに、前記デバイス能力情報に見合ったコンテンツ特性を有する電子コンテンツを特定するために、前記デバイス能力情報について前記コンテンツ特性を評価することによって、当該無線通信デバイスが受信した１以上の電子フィードをフィルタリングする
ように構成されることを特徴とする無線通信デバイス（１０）。
【請求項１３】
前記１以上の処理回路は、
前記無線通信デバイス（１０）に利用可能な変化する接続データレートに対応する動的なデバイス能力情報として、前記デバイス能力情報の少なくとも一部を維持する
ように構成されることを特徴とする請求項１２に記載の無線通信デバイス（１０）。
【請求項１４】
前記１以上の処理回路は、
前記無線通信デバイス（１０）に利用可能な変化する無線アクセスネットワークのタイプに対応する動的なデバイス能力情報として、前記デバイス能力情報の少なくとも一部を維持する
ように構成されることを特徴とする請求項１２に記載の無線通信デバイス（１０）。
【請求項１５】
前記１以上の処理回路は、
前記無線通信デバイス（１０）に利用可能な変化するメモリの能力に対応する動的なデバイス能力情報として、前記デバイス能力情報の少なくとも一部を維持する
ように構成されることを特徴とする請求項１２に記載の無線通信デバイス（１０）。
【請求項１６】
前記１以上の処理回路は、
前記無線通信デバイス（１０）に利用可能な変化するユーザインターフェイスの能力に対応する動的なデバイス能力情報として、前記デバイス能力情報の少なくとも一部を維持する
ように構成されることを特徴とする請求項１２に記載の無線通信デバイス（１０）。
【請求項１７】
前記１以上の処理回路は、
デバイスのディスプレイの特性と、デバイスのユーザインターフェイスの特性と、デバイスのオーディオの特性と、デバイスのメモリの特性と、コンテンツタイプの互換性の特性と、デバイスのプロセッサの特性と、のうち少なくとも１つに関する静的なデバイス能力情報として、前記デバイス能力情報の少なくとも一部を前記無線通信デバイス（１０）のメモリ（３２）に維持する
ように構成されることを特徴とする請求項１２に記載の無線通信デバイス（１０）。
【請求項１８】
前記１以上の処理回路は、
前記無線通信デバイス（１０）に利用可能な変化する接続データレートと、
前記無線通信デバイス（１０）に利用可能な変化する無線アクセスネットワークのタイプと、
前記無線通信デバイス（１０）に利用可能な変化するメモリの能力と、
前記無線通信デバイス（１０）に利用可能な変化するユーザインターフェイスの能力と、
のうち少なくとも１つに応じて動的なデバイス能力情報をさらに維持する
ように構成されることを特徴とする請求項１７に記載の無線通信デバイス（１０）。
【請求項１９】
前記１以上の処理回路（３０）は、
前記無線通信デバイス（１０）に利用可能な接続データレートに見合ったファイルサイズを有する電子コンテンツと、
前記無線通信デバイス（１０）のストレージ能力に見合ったファイルサイズを有する電子コンテンツと、
前記無線通信デバイス（１０）と互換性のあるコンテンツのエンコーディングまたはファイルのタイプを有する電子コンテンツと、
の少なくとも１つを特定することによって、前記デバイス能力情報について前記コンテンツ特性を評価する
ように構成されることを特徴とする請求項１２に記載の無線通信デバイス（１０）。
【請求項２０】
前記１以上の処理回路（３０）は、
無線通信デバイス（１０）による処理のための前記特定された電子コンテンツをさらに選択的に取得する
ように構成されることを特徴とする請求項１２に記載の無線通信デバイス（１０）。
【請求項２１】
前記１以上の処理回路（３０）は、
前記無線通信デバイス（１０）が有効に購読している任意の電子フィードに関連付けられた、特定されている電子コンテンツを自動的に取得することにより、前記特定された電子コンテンツを選択的に取得する
ように構成されることを特徴とする請求項２０に記載の無線通信デバイス（１０）。
【請求項２２】
前記１以上の処理回路（３０）は、
そのような取得を望むことを示すユーザの入力に応答して、特定されている電子コンテンツを取得することによって、前記無線通信デバイスによる処理のための前記特定されている電子コンテンツを選択的に取得する
ように構成されることを特徴とする請求項２０に記載の無線通信デバイス（１０）。
【請求項２３】
無線通信デバイス（１０）による電子コンテンツの取得を調整するように構成されたコンピュータプログラム（５０）を格納したコンピュータ可読媒体（３２）であって、
前記コンピュータプログラム（５０）は、
前記無線通信デバイス（１０）においてデバイス能力情報を維持するためのプログラム命令（５２）と、
利用可能な電子コンテンツと対応するコンテンツ特性とを特定する、１以上の電子フィードから、もしくは該１以上の電子フィードのための、コンテンツ情報を受信し、並びに、前記デバイス能力情報に見合ったコンテンツ特性を有する電子コンテンツを特定するために、前記デバイス能力情報について前記コンテンツ特性を評価することによって、前記無線通信デバイス（１０）が受信した１以上の電子フィードをフィルタリングするためのプログラム命令（５４）と、
を備えることを特徴とするコンピュータ可読媒体（３２）。
【請求項２４】
前記コンピュータプログラム（５０）は、
電子コンテンツを取得し、
前記無線通信デバイス（１０）のユーザインターフェイス（３４）を介して前記無線通信デバイス（１０）のユーザへ対応する出力情報を提供する
ように構成された電子コンテンツ取得プログラム（５６）を備える
ことを特徴とする請求項２３に記載のコンピュータ可読媒体（３２）。
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
無線通信デバイス（１０）による電子コンテンツの取得を調整する方法であって、
前記無線通信デバイス（１０）においてデバイス能力情報を維持する工程と、
利用可能な電子コンテンツと対応するコンテンツ特性とを特定するコンテンツ情報であって、１以上の電子フィードから若しくは該１以上の電子フィードのための、コンテンツ情報を受信し、並びに、前記デバイス能力情報に見合ったコンテンツ特性を有する電子コンテンツを特定するための前記デバイス能力情報について前記コンテンツ特性を評価することによって、前記無線通信デバイス（１０）が受信した前記１以上の電子フィードをフィルタリングする工程と、
を有することを特徴とする方法。
【請求項２】
前記デバイス能力情報を維持する前記工程には、
前記無線通信デバイス（１０）に利用可能な変化する接続データレートに応じて動的なデバイス能力情報を維持する工程が含まれる
ことを特徴とする請求項１に記載の方法。
【請求項３】
前記デバイス能力情報を維持する前記工程には、
前記無線通信デバイス（１０）に利用可能な変化する無線アクセスネットワークのタイプに応じて動的なデバイス能力情報を維持する工程が含まれる
ことを特徴とする請求項１に記載の方法。
【請求項４】
前記デバイス能力情報を維持する前記工程には、
前記無線通信デバイス（１０）に利用可能な変化するメモリの能力に応じて動的なデバイス能力情報を維持する工程が含まれる
ことを特徴とする請求項１に記載の方法。
【請求項５】
前記デバイス能力情報を維持する前記工程には、
前記無線通信デバイス（１０）に利用可能な変化するユーザインターフェイスの能力に応じて動的なデバイス能力情報を維持する工程が含まれる
ことを特徴とする請求項１に記載の方法。
【請求項６】
前記デバイス能力情報を維持する前記工程には、
デバイスのディスプレイの特性と、デバイスのユーザインターフェイスの特性と、デバイスのオーディオの特性と、デバイスのメモリの特性と、コンテンツタイプの互換性の特性と、デバイスのプロセッサの特性と、のうち少なくとも１つに関する静的なデバイス能力情報を前記無線通信デバイスのメモリ（３２）で維持する工程が含まれる
ことを特徴とする請求項１に記載の方法。
【請求項７】
前記デバイス能力情報を維持する前記工程には、
前記無線通信デバイス（１０）に利用可能な変化する接続データレートと、
前記無線通信デバイス（１０）に利用可能な変化する無線アクセスネットワークのタイプと、
前記無線通信デバイス（１０）に利用可能な変化するメモリの能力と、
前記無線通信デバイス（１０）に利用可能な変化するユーザインターフェイスの能力と、
のうち少なくとも１つに応じて動的なデバイス能力情報を維持する工程がさらに含まれる
ことを特徴とする請求項６に記載の方法。
【請求項８】
前記デバイス能力情報について前記コンテンツ特性を評価する前記工程には、
前記無線通信デバイス（１０）に利用可能な接続データレートに見合ったファイルサイズを有する電子コンテンツを特定する工程と、
前記無線通信デバイス（１０）のストレージ能力に見合ったファイルサイズを有する電子コンテンツを特定する工程と、
前記無線通信デバイス（１０）と互換性のあるコンテンツのエンコーディングまたはファイルタイプを有する電子コンテンツを特定する工程と、
のうち少なくとも１つが含まれることを特徴とする請求項１に記載の方法。
【請求項９】
前記無線通信デバイス（１０）による処理のための前記特定された電子コンテンツを選択的に取得する工程をさらに有することを特徴とする、請求項１に記載の方法。
【請求項１０】
前記特定された電子コンテンツを選択的に取得する前記工程には、
前記無線通信デバイス（１０）が有効に購読している任意の電子フィードに関連付けられた、特定されている電子コンテンツを自動的に取得する工程が含まれる
ことを特徴とする請求項９に記載の方法。
【請求項１１】
前記無線通信デバイス（１０）による処理のための前記特定された電子コンテンツを選択的に取得する前記工程には、
そのような取得を望むことを示すユーザの入力に応答して、特定されている電子コンテンツを取得する工程が含まれる
ことを特徴とする請求項９に記載の方法。
【請求項１２】
１以上の処理回路（３０）を備える無線通信デバイス（１０）であって、
デバイス能力情報を維持し、
利用可能な電子コンテンツと対応するコンテンツ特性とを特定する、１以上の電子フィードから、もしくは該１以上の電子フィードのための、コンテンツ情報を受信し、並びに、前記デバイス能力情報に見合ったコンテンツ特性を有する電子コンテンツを特定するために、前記デバイス能力情報について前記コンテンツ特性を評価することによって、当該無線通信デバイスが受信した１以上の電子フィードをフィルタリングする
ように構成されることを特徴とする無線通信デバイス（１０）。
【請求項１３】
前記１以上の処理回路は、
前記無線通信デバイス（１０）に利用可能な変化する接続データレートに対応する動的なデバイス能力情報として、前記デバイス能力情報の少なくとも一部を維持する
ように構成されることを特徴とする請求項１２に記載の無線通信デバイス（１０）。
【請求項１４】
前記１以上の処理回路は、
前記無線通信デバイス（１０）に利用可能な変化する無線アクセスネットワークのタイプに対応する動的なデバイス能力情報として、前記デバイス能力情報の少なくとも一部を維持する
ように構成されることを特徴とする請求項１２に記載の無線通信デバイス（１０）。
【請求項１５】
前記１以上の処理回路は、
前記無線通信デバイス（１０）に利用可能な変化するメモリの能力に対応する動的なデバイス能力情報として、前記デバイス能力情報の少なくとも一部を維持する
ように構成されることを特徴とする請求項１２に記載の無線通信デバイス（１０）。
【請求項１６】
前記１以上の処理回路は、
前記無線通信デバイス（１０）に利用可能な変化するユーザインターフェイスの能力に対応する動的なデバイス能力情報として、前記デバイス能力情報の少なくとも一部を維持する
ように構成されることを特徴とする請求項１２に記載の無線通信デバイス（１０）。
【請求項１７】
前記１以上の処理回路は、
デバイスのディスプレイの特性と、デバイスのユーザインターフェイスの特性と、デバイスのオーディオの特性と、デバイスのメモリの特性と、コンテンツタイプの互換性の特性と、デバイスのプロセッサの特性と、のうち少なくとも１つに関する静的なデバイス能力情報として、前記デバイス能力情報の少なくとも一部を前記無線通信デバイス（１０）のメモリ（３２）に維持する
ように構成されることを特徴とする請求項１２に記載の無線通信デバイス（１０）。
【請求項１８】
前記１以上の処理回路は、
前記無線通信デバイス（１０）に利用可能な変化する接続データレートと、
前記無線通信デバイス（１０）に利用可能な変化する無線アクセスネットワークのタイプと、
前記無線通信デバイス（１０）に利用可能な変化するメモリの能力と、
前記無線通信デバイス（１０）に利用可能な変化するユーザインターフェイスの能力と、
のうち少なくとも１つに応じて動的なデバイス能力情報をさらに維持する
ように構成されることを特徴とする請求項１７に記載の無線通信デバイス（１０）。
【請求項１９】
前記１以上の処理回路（３０）は、
前記無線通信デバイス（１０）に利用可能な接続データレートに見合ったファイルサイズを有する電子コンテンツと、
前記無線通信デバイス（１０）のストレージ能力に見合ったファイルサイズを有する電子コンテンツと、
前記無線通信デバイス（１０）と互換性のあるコンテンツのエンコーディングまたはファイルのタイプを有する電子コンテンツと、
の少なくとも１つを特定することによって、前記デバイス能力情報について前記コンテンツ特性を評価する
ように構成されることを特徴とする請求項１２に記載の無線通信デバイス（１０）。
【請求項２０】
前記１以上の処理回路（３０）は、
無線通信デバイス（１０）による処理のための前記特定された電子コンテンツをさらに選択的に取得する
ように構成されることを特徴とする請求項１２に記載の無線通信デバイス（１０）。
【請求項２１】
前記１以上の処理回路（３０）は、
前記無線通信デバイス（１０）が有効に購読している任意の電子フィードに関連付けられた、特定されている電子コンテンツを自動的に取得することにより、前記特定された電子コンテンツを選択的に取得する
ように構成されることを特徴とする請求項２０に記載の無線通信デバイス（１０）。
【請求項２２】
前記１以上の処理回路（３０）は、
そのような取得を望むことを示すユーザの入力に応答して、特定されている電子コンテンツを取得することによって、前記無線通信デバイスによる処理のための前記特定されている電子コンテンツを選択的に取得する
ように構成されることを特徴とする請求項２０に記載の無線通信デバイス（１０）。
【請求項２３】
無線通信デバイス（１０）による電子コンテンツの取得を調整するように構成されたコンピュータプログラム（５０）を格納したコンピュータ可読媒体（３２）であって、
前記コンピュータプログラム（５０）は、
前記無線通信デバイス（１０）においてデバイス能力情報を維持するためのプログラム命令（５２）と、
利用可能な電子コンテンツと対応するコンテンツ特性とを特定する、１以上の電子フィードから、もしくは該１以上の電子フィードのための、コンテンツ情報を受信し、並びに、前記デバイス能力情報に見合ったコンテンツ特性を有する電子コンテンツを特定するために、前記デバイス能力情報について前記コンテンツ特性を評価することによって、前記無線通信デバイス（１０）が受信した１以上の電子フィードをフィルタリングするためのプログラム命令（５４）と、
を備えることを特徴とするコンピュータ可読媒体（３２）。
【請求項２４】
前記コンピュータプログラム（５０）は、
電子コンテンツを取得し、
前記無線通信デバイス（１０）のユーザインターフェイス（３４）を介して前記無線通信デバイス（１０）のユーザへ対応する出力情報を提供する
ように構成された電子コンテンツ取得プログラム（５６）を備える
ことを特徴とする請求項２３に記載のコンピュータ可読媒体（３２）。
【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
無線通信デバイス（１０）による電子コンテンツの取得を調整する方法であって、
前記無線通信デバイス（１０）においてデバイス能力情報を維持する工程と、
利用可能な電子コンテンツと対応するコンテンツ特性とを特定するコンテンツ情報であって、１以上の電子フィードから若しくは該１以上の電子フィードのための、コンテンツ情報を受信し、並びに、前記デバイス能力情報に見合ったコンテンツ特性を有する電子コンテンツを特定するための前記デバイス能力情報について前記コンテンツ特性を評価することによって、前記無線通信デバイス（１０）が受信した前記１以上の電子フィードをフィルタリングする工程と、
を有することを特徴とする方法。
【請求項２】
前記デバイス能力情報を維持する前記工程には、
前記無線通信デバイス（１０）に利用可能な変化する接続データレートと、
前記無線通信デバイス（１０）に利用可能な変化する無線アクセスネットワークのタイプと、
前記無線通信デバイス（１０）に利用可能な変化するメモリの能力と、
前記無線通信デバイス（１０）に利用可能な変化するユーザインターフェイスの能力と、
のいずれかに応じて動的なデバイス能力情報を維持する工程が含まれる
ことを特徴とする請求項１に記載の方法。
【請求項３】
前記デバイス能力情報を維持する前記工程には、
デバイスのディスプレイの特性と、デバイスのユーザインターフェイスの特性と、デバイスのオーディオの特性と、デバイスのメモリの特性と、コンテンツタイプの互換性の特性と、デバイスのプロセッサの特性と、のうち少なくとも１つに関する静的なデバイス能力情報を前記無線通信デバイスのメモリ（３２）で維持する工程が含まれる
ことを特徴とする請求項１に記載の方法。
【請求項４】
前記デバイス能力情報を維持する前記工程には、
前記無線通信デバイス（１０）に利用可能な変化する接続データレートと、
前記無線通信デバイス（１０）に利用可能な変化する無線アクセスネットワークのタイプと、
前記無線通信デバイス（１０）に利用可能な変化するメモリの能力と、
前記無線通信デバイス（１０）に利用可能な変化するユーザインターフェイスの能力と、
のうち少なくとも１つに応じて動的なデバイス能力情報を維持する工程がさらに含まれる
ことを特徴とする請求項３に記載の方法。
【請求項５】
前記デバイス能力情報について前記コンテンツ特性を評価する前記工程には、
前記無線通信デバイス（１０）に利用可能な接続データレートに見合ったファイルサイズを有する電子コンテンツを特定する工程と、
前記無線通信デバイス（１０）のストレージ能力に見合ったファイルサイズを有する電子コンテンツを特定する工程と、
前記無線通信デバイス（１０）と互換性のあるコンテンツのエンコーディングまたはファイルタイプを有する電子コンテンツを特定する工程と、
のうち少なくとも１つが含まれることを特徴とする請求項１に記載の方法。
【請求項６】
前記無線通信デバイス（１０）が有効に購読している任意の電子フィードに関連付けられた、特定されている電子コンテンツを自動的に取得することによって、前記無線通信デバイス（１０）による処理のための前記特定された電子コンテンツを選択的に取得する工程をさらに有することを特徴とする、請求項１に記載の方法。
【請求項７】
そのような取得を望むことを示すユーザの入力に応答して、特定されている電子コンテンツを取得することによって、前記無線通信デバイス（１０）による処理のための前記特定された電子コンテンツを選択的に取得する工程をさらに有する
ことを特徴とする請求項１に記載の方法。
【請求項８】
１以上の処理回路（３０）を備える無線通信デバイス（１０）であって、
デバイス能力情報を維持し、
利用可能な電子コンテンツと対応するコンテンツ特性とを特定する、１以上の電子フィードから、もしくは該１以上の電子フィードのための、コンテンツ情報を受信し、並びに、前記デバイス能力情報に見合ったコンテンツ特性を有する電子コンテンツを特定するために、前記デバイス能力情報について前記コンテンツ特性を評価することによって、当該無線通信デバイスが受信した１以上の電子フィードをフィルタリングする
ように構成されることを特徴とする無線通信デバイス（１０）。
【請求項９】
前記１以上の処理回路は、
前記無線通信デバイス（１０）に利用可能な変化する接続データレートと、
前記無線通信デバイス（１０）に利用可能な変化する無線アクセスネットワークのタイプと、
前記無線通信デバイス（１０）に利用可能な変化するメモリの能力と、
前記無線通信デバイス（１０）に利用可能な変化するユーザインターフェイスの能力と、
のいずれかに対応する動的なデバイス能力情報として、前記デバイス能力情報の少なくとも一部を維持する
ように構成されることを特徴とする請求項８に記載の無線通信デバイス（１０）。
【請求項１０】
前記１以上の処理回路は、
デバイスのディスプレイの特性と、デバイスのユーザインターフェイスの特性と、デバイスのオーディオの特性と、デバイスのメモリの特性と、コンテンツタイプの互換性の特性と、デバイスのプロセッサの特性と、のうち少なくとも１つに関する静的なデバイス能力情報として、前記デバイス能力情報の少なくとも一部を前記無線通信デバイス（１０）のメモリ（３２）に維持する
ように構成されることを特徴とする請求項８に記載の無線通信デバイス（１０）。
【請求項１１】
前記１以上の処理回路は、
前記無線通信デバイス（１０）に利用可能な変化する接続データレートと、
前記無線通信デバイス（１０）に利用可能な変化する無線アクセスネットワークのタイプと、
前記無線通信デバイス（１０）に利用可能な変化するメモリの能力と、
前記無線通信デバイス（１０）に利用可能な変化するユーザインターフェイスの能力と、
のうち少なくとも１つに応じて動的なデバイス能力情報をさらに維持する
ように構成されることを特徴とする請求項１０に記載の無線通信デバイス（１０）。
【請求項１２】
前記１以上の処理回路（３０）は、
前記無線通信デバイス（１０）に利用可能な接続データレートに見合ったファイルサイズを有する電子コンテンツと、
前記無線通信デバイス（１０）のストレージ能力に見合ったファイルサイズを有する電子コンテンツと、
前記無線通信デバイス（１０）と互換性のあるコンテンツのエンコーディングまたはファイルのタイプを有する電子コンテンツと、
の少なくとも１つを特定することによって、前記デバイス能力情報について前記コンテンツ特性を評価する
ように構成されることを特徴とする請求項８に記載の無線通信デバイス（１０）。
【請求項１３】
前記１以上の処理回路（３０）は、
前記無線通信デバイス（１０）が有効に購読している任意の電子フィードに関連付けられた、特定されている電子コンテンツを自動的に取得することにより、無線通信デバイス（１０）による処理のための前記特定された電子コンテンツをさらに選択的に取得する
ように構成されることを特徴とする請求項８に記載の無線通信デバイス（１０）。
【請求項１４】
前記１以上の処理回路（３０）は、
そのような取得を望むことを示すユーザの入力に応答して、特定されている電子コンテンツを取得することによって、前記無線通信デバイスによる処理のための前記特定されている電子コンテンツを選択的に取得する
ようにさらに構成されることを特徴とする請求項８に記載の無線通信デバイス（１０）。
【国際調査報告】
2009514346.tif 000007
2009514346.tif 000008
2009514346.tif 000009